(57)【特許請求の範囲】
【請求項１】
製材を積み重ねて乾燥するにあたり、製材と製材の間に挟み，製材の動きを拘束して水平方向の曲がりを防止するスペーサであって、
剛性を有する所要長さの四角筒体形状を有し，
製材と接する対向する二つの表面には、長手方向全長にわたり凸部(30a)及び凹部(31a)が交互に形成してあり、
上記凸部(30a)の表面には、製材を積み重ねた状態で重しによって上方から押圧力がかかることにより、製材に刺さるか、食い込むかまたはめり込んで製材の動きを拘束して曲がりを防止する凸条または点状の曲がり防止手段が設けてあることを特徴とする、
製材の積み重ね時に間に挟むスペーサ。
【請求項２】
スペーサがアルミニウム製である、請求項１記載の製材の積み重ね時に間に挟むスペーサ。
【発明の詳細な説明】
【技術分野】
【０００１】
本発明は、製材を積み重ねて乾燥するにあたり、製材と製材の間に挟むスペーサに関する。更に詳しくは、乾燥にあたり製材の曲がりが防止できるようにしたものに関する。また、製材のスペーサと接触した部分の変色防止ができるようにしたものに関する。
【背景技術】
【０００２】
例えば、建築材となる木材（本明細書では「製材」と記載する）は、建築後に材が乾燥・収縮することで生じる不具合、カビの発生や腐食の防止等のために、生木を十分に乾燥させた状態で使用される。通常、この乾燥は、製材と製材の間に木製の角材からなるスペーサを挟んで複数段積み重ね、乾燥室や屋外で風通しを良くした状態で行われる。
【０００３】
製材は乾燥することによって収縮するので、単に積み重ねただけの状態では一部の製材に曲がりが発生してしまうことがある。従って、通常、製材の乾燥は、積み重ねた状態で上部側から下向きの荷重をかけて、できるだけ曲がらないよう対策が施された状態で行われている（例えば、特許文献１参照）。
【０００４】
【特許文献１】特開平９−２６４６６８号公報
【発明の開示】
【発明が解決しようとする課題】
【０００５】
しかし、上記した製材の乾燥方法には、次のような課題があった。
即ち、上記したように製材の乾燥は、通常、積み重ねた上部側から下向きの荷重をかけた状態で行われているので、垂直方向に対しての曲がりはある程度防止できる。しかし、水平方向に対しては上記した下向きの荷重だけでは抑えきれず、曲がり防止を図ることは困難であった。
【０００６】
従って、製材は、乾燥終了後に表面を削ることでまっすぐに仕上げられるように、予め周りに削り代を有するよう切り出されている。この削り代は、製材が比較的大きく曲がった場合でも、生産目標とした寸法のものを得ることができ、その製材自体が不良品とならないよう、比較的大きく形成されている。そのため従来の製材の製造にあたっては、無駄となる部分が多く、歩留まりが悪いという課題があった。
【０００７】
本発明者は、製材の乾燥にあたり、積み重ねた状態における水平方向に対しての曲がりもある程度防止することができれば、削り代を小さくすることができ、これにより無駄となる部分が少なくできるので歩留まりも良くなるのではないかとの着想を得た。
本発明は、上記着想に基づき、種々の実験を行うことによって完成されたものである。
【０００８】
本発明の目的は、製材を積み重ねて乾燥するにあたり、製材の水平方向の曲がりが防止できるようにすることにある。
また本発明の他の目的は、製材のスペーサと接触した部分の変色防止も図ることができるようにすることにある。
【課題を解決するための手段】
【０００９】
上記目的を達成するために本発明が講じた手段は次のとおりである。
第１の発明にあっては、
製材を積み重ねて乾燥するにあたり、製材と製材の間に挟み，製材の動きを拘束して水平方向の曲がりを防止するスペーサであって、
剛性を有する所要長さの四角筒体形状を有し，
製材と接する対向する二つの表面には、長手方向全長にわたり凸部及び凹部が交互に形成してあり、
上記凸部の表面には、製材を積み重ねた状態で重しによって上方から押圧力がかかることにより、製材に刺さるか、食い込むかまたはめり込んで製材の動きを拘束して曲がりを防止する凸条または点状の曲がり防止手段が設けてあることを特徴とする、
製材の積み重ね時に間に挟むスペーサある。
【００１０】
第２の発明にあっては、
スペーサがアルミニウム製である、第１の発明に係る製材の積み重ね時に間に挟むスペーサである。
【００１１】
（作  用）
本発明に係るスペーサの作用を説明する。
本発明に係るスペーサは、製材を積み重ねて乾燥するにあたり、製材と製材の間に挟む。このスペーサの製材と接する面には、製材の動きを拘束または実質的に拘束して曲がりを防止する曲がり防止手段が設けてあり、この曲がり防止手段によって製材の動きを拘束または実質的に拘束する。
【００１２】
本発明に係るスペーサは、製材を積み重ねて乾燥するにあたり、製材と製材の間に挟む。このスペーサの製材と接する面には、製材の動きを拘束または実質的に拘束して曲がりを防止する曲がり防止手段が設けてあり、この曲がり防止手段が、製材に刺さるか、食い込むかまたはめり込んで、製材の動きを拘束または実質的に拘束する。
【００１３】
製材と接する部分の熱伝導性または放熱性が良い状態になるよう構成してあるものは、例えば、スペーサ自体が外気と略同じ温度を有するので、これにより従来から使用しているスペーサよりも、製材のスペーサと接触した部分が乾燥し易い状態となる。
【００１４】
また、製材と接する面に凸部及び凹部が形成してあるものは、製材を積み重ねた場合に、凸部が製材と接触しており、その間に凹部が形成されるので、上記したスペーサよりも更に製材のスペーサと接触した部分が乾燥し易くなる。
【発明の効果】
【００１５】
本発明は上記構成を備え、次の効果を有する。
本発明に係るスペーサによれば、曲がり防止手段が、製材を積み重ねた状態で重しによって上方から押圧力がかかることにより、製材に刺さるか、食い込むかまたはめり込んで、製材の動きを拘束する。これにより乾燥における製材の水平方向の曲がりが防止できる。
【００１６】
製材と接する部分の熱伝導性または放熱性が良い状態になるよう構成してあるものは、例えば、スペーサ自体が外気と略同じ温度を有するようにでき、これにより従来から使用しているスペーサよりも、製材のスペーサと接触した部分が乾燥し易い状態にできる。従って、従来のスペーサを使用した場合よりも、製材のスペーサと接触した部分の変色を防止することが可能である。
【００１７】
（削除）
【発明を実施するための最良の形態】
【００１８】
本発明の実施の形態を図面に基づき更に詳細に説明する。
図１は本発明に係るスペーサの第１の参考例を示す斜視説明図、
図２は図１に示すスペーサの端部を示す拡大斜視説明図である。
符号Ｓ１は、製材を積み重ねて乾燥するにあたり、製材と製材の間に挟むスペーサを示している。
【００１９】
スペーサＳ１は、剛性を有する所要長さの四角筒体形状を有している。符号１０は中空部を示している。スペーサＳ１の上面と下面の対向する二つの面上には、曲がり防止手段である凸条２０が表面に所要のパターンを繰り返し有するよう形成された凸条プレート２が固定されている。凸条プレート２はリベット１１（固定手段）を用いてスペーサＳ１の全長にわたって設けられている。本参考例でスペーサＳ１は、アルミニウム製のものを使用した。
【００２０】
（作  用）
図３は図１に示すスペーサＳ１の使用状態を示す説明図である。
図１ないし図３を参照して本実施の形態で示すスペーサＳ１の作用を説明する。
スペーサＳ１は、製材を積み重ねて乾燥するにあたり、製材と製材の間に挟んで使用される。本実施の形態では、所要長さの角柱形状を有するよう切り出された製材Ｋ１を乾燥する場合を例に挙げて説明する。
【００２１】
製材Ｋ１は、地面上に所要間隔をもって置かれた台部材４上に、これと略直交した状態となるように複数本並べて設置される。スペーサＳ１は、製材Ｋ１の上面上において台部材４と垂直方向で対応する位置に、製材Ｋ１と略直交した状態となるよう設けられる。このときスペーサＳ１は、凸条プレート２が上側と下側に配置されるよう設けられる。スペーサＳ１が上面上に設置された製材Ｋ１には、更に別の製材Ｋ１が積み重ねられる。そして更にその製材Ｋ１の上面上にも、別のスペーサＳ１が上記の場合と同じように、台部材４と垂直方向で対応する位置に積み重ねられる。製材Ｋ１とスペーサＳ１は、この状態を繰り返して複数段積み重ねられる。
【００２２】
最上段に設置された製材Ｋ１の上面上において台部材４と垂直方向で対応する位置には、上方から押圧力をかけるための重し５（図３では想像線で示している）が設けられる。
重し５の重量によって下方に向けて押圧力がかかることにより、乾燥における垂直方向に対しての曲がりが防止できる。
【００２３】
更に、重し５によって押圧力がかかることにより、凸条プレート２に形成された凸条２０が、製材Ｋ１に刺さるか、食い込むかまたはめり込んだ状態になる。スペーサＳ１は剛性を有しているので、これにより製材Ｋ１は動きが実質的に拘束された状態になる。つまりスペーサＳ１によれば、水平方向に対しての曲がりも防止できる。
【００２４】
また、スペーサＳ１は、製材Ｋ１と接触する面に凸条プレート２が設けられたものであり、凸条２０が上側と下側に形成されたこと以外は、今までのスペーサと殆ど使い方は変わらないので、使用に際して熟練等は必要なく、取り替えた場合でも直ぐ使用できる。
【００２５】
スペーサＳ１は、熱伝導性または放熱性の良いアルミニウム製の四角筒体形状を有しているので、スペーサＳ１自体が外気と略同じ温度を有するようにでき、これにより従来から使用しているスペーサよりも、製材Ｋ１のスペーサＳ１と接触した部分は乾燥し易い。
従って、従来のスペーサを使用した場合よりも、製材Ｋ１のスペーサＳ１と接触した部分の変色が防止できる。
【００２６】
スペーサＳ１を使用した場合では、凸条２０が製材Ｋ１に刺さるか、食い込むかまたはめり込んだ状態になっているので、スペーサＳ１は製材Ｋ１から簡単に外れない。これにより例えば、フォークリフト等で運搬する場合であっても製材Ｋ１は位置がずれたりし難く、積み直しの回数を減らすことができる。
【００２７】
なお、スペーサＳ１の凸条プレート２を設けていない対向する二つの表面には、例えば、図４に示すような凹凸部３を全長にわたり設けることもできる。
図４は本発明に係るスペーサの第２の参考例を示す拡大斜視説明図である。
スペーサＳ２の凹凸部３は、所要の高さを有する凸部３０を長さ方向に間隔をあけて設けて、その間に相対的に凹部３１が設けられるように形成されている。
【００２８】
図５は図４に示すスペーサＳ２の使用状態を示す説明図である。
なお、図５において上記図１ないし図４で示したものと同一または同等箇所には同一の符号を付して示している。また、以下の説明において構造について上記で示した箇所と重複する説明は、必要な事項を除き省略する。
【００２９】
スペーサＳ２は、乾燥にあたりそれほど曲がりが生じないような板状の製材Ｋ２を積み重ねる際に使用される。このような製材Ｋ２の場合では、凸条２０を刺すか、食い込ませるかまたはめり込ませる必要がないので、凹凸部３を構成する凸部３０が製材Ｋ２と接触するよう、即ち、この凸部３０が上側と下側に配置されるよう設けて積み重ねることができる。
【００３０】
スペーサＳ２を用いてこのように製材Ｋ２を積み重ねた場合では、凸部３０が製材Ｋ２と接触しており、その間に凹部３１が形成されているので、スペーサＳ１よりも更に製材Ｋ２のスペーサＳ２と接触した部分が乾燥し易い状態にでき、変色防止を図ることができる。
【００３１】
図６は本発明に係るスペーサの第１の実施の形態を示す拡大斜視説明図である。
なお、図６において上記図１ないし図５で示したものと同一または同等箇所には同一の符号を付して示している。また、以下の説明において構造について上記で示した箇所と重複する説明は、必要な事項を除き省略する。
【００３２】
スペーサＳ３は、剛性を有する所要長さの四角筒体形状を有している。スペーサＳ３の製材と接する面となる対向する二つの表面には、全長にわたり凹凸部３ａが形成されている。凹凸部３ａは、所要の高さを有する凸部３０ａを長さ方向に間隔をあけて設けて、その間に相対的に凹部３１ａが設けられるように形成されている。凹凸部３ａを構成する凸部３０ａの表面には、曲がり防止手段である凸条３００が形成されている。
【００３３】
（作  用）
図６を参照して、第１の実施の形態で示すスペーサＳ３の作用を説明する。
なお、上記したスペーサＳ１やスペーサＳ２と共通する構成により生じる同様の作用、効果については説明を省略し、相違する点についてのみ説明する。
【００３４】
スペーサＳ３によれば、製材を積み重ねた状態で重しによって上方から押圧力がかかることにより、凸部３０ａの表面に形成された凸条３００が、製材に刺さるか、食い込むかまたはめり込んだ状態になる。また、このとき製材と接触している凸部３０ａの間には凹部３１ａが形成されているので、製材のスペーサＳ３と接触した部分も乾燥し易い状態になっている。つまり、スペーサＳ３によれば、水平方向に対しての曲がりを防止しつつ、なおかつ製材のスペーサＳ３と接触した部分の変色防止も図ることができる。
【００３５】
上記参考例及び実施の形態においてスペーサＳ１、Ｓ２、Ｓ３は、四角筒形状を有するものを使用したが、スペーサの形状はこれに限定するものではなく、例えば、多角筒形状や多角柱形状（中実の四角柱等）を有するものを使用することもできる。
【００３６】
また、スペーサＳ１、Ｓ２、Ｓ３はアルミニウム製のものを使用したが、これも限定するものではなく、例えば、ステンレスや鉄等の他の金属、セラミックス等の材料を使用することもできる。
【００３７】
上記参考例で示す凸条２０は、凸条プレート２を固定することによって形成したが、これも限定するものではなく、凸条２０は、例えば、スペーサの表面を削り出して設けることもできる。
【００３８】
上記参考例及び実施の形態では、曲がり防止手段として凸条を例示したが、これは特に限定するものではない。例えば、製材に刺さるか、食い込むかまたはめり込んで製材の動きを拘束または実質的に拘束し曲がりを防止するような、点状のもの等でも良い。
【００３９】
本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形態様が可能であるということは言うまでもない。
【図面の簡単な説明】
【００４０】
【図１】本発明に係るスペーサの第１の参考例を示す斜視説明図。
【図２】図１に示すスペーサの端部を示す拡大斜視説明図。
【図３】図１に示すスペーサの使用状態を示す説明図。
【図４】本発明に係るスペーサの第２の参考例を示す拡大斜視説明図。
【図５】図４に示すスペーサの使用状態を示す説明図。
【図６】本発明に係るスペーサの第１の実施の形態を示す拡大斜視説明図。
【符号の説明】
【００４１】
Ｓ１，Ｓ２，Ｓ３  スペーサ
Ｋ１，Ｋ２  製材
１０  中空部
１１  リベット
２  凸条プレート
２０  凸条
３  凹凸部
３０  凸部
３００  凸条
３１  凹部
４  台部材
５  重し
【図１】
0004693536.tif 000002
【図２】
0004693536.tif 000003
【図３】
0004693536.tif 000004
【図４】
0004693536.tif 000005
【図５】
0004693536.tif 000006
【図６】
0004693536.tif 000007